(57)【要約】【課題】  エコバッグのデザイン変更に要するコストを低減することが可能であり、さらにはエコバッグのデザインをより個人の嗜好に合わせたものに変更することを可能として客の興味を引き付け、客を囲い込むことができる商品販売システムおよび当該システムでエコバッグとして使用される商品収納体を提供すること。【解決手段】  エコバッグ３０に電力の供給を受けずに表示画像を保持することが可能な電子ペーパー３１を設ける。そして、商品を販売処理するＰＯＳ端末１０により無線データ通信装置３を制御して所定の画像データをエコバッグ３０に送信する。この画像データを受信したエコバッグ３０に当該画像データに基づいて電子ペーパー３１に表示される画像を書き換えさせる。【選択図】    図２
2010044640.tif 000002
【特許請求の範囲】
【請求項１】
客が買い上げる商品の販売処理を行う商品販売データ処理装置と、
この商品販売データ処理装置により販売処理された商品を収納するための商品収納体と、
前記商品収納体とデータ通信を行うデータ通信装置とを備え、
前記商品販売データ処理装置は、
前記データ通信装置を制御して所定の画像データを前記商品収納体に送信するデータ送信制御手段を備え、
前記商品収納体は、
電力の供給を受けずに表示画像を保持することが可能な画像表示手段と、
前記データ通信装置により送信された画像データを受信するデータ受信手段と、
このデータ受信手段により受信した画像データに基づいて前記画像表示手段に表示される画像を書き換える画像書換手段とを備えてなることを特徴とする商品販売システム。
【請求項２】
前記商品販売データ処理装置は、
前記商品収納体の画像表示手段に表示するための画像データを記憶したデータ記憶手段と、
このデータ記憶手段に記憶された画像データの中から所定条件を満たす画像データを抽出するデータ抽出手段と、
このデータ抽出手段が抽出した画像データを表示するデータ表示手段と、
このデータ表示手段が表示した画像データの中から任意の画像データの選択を受け付ける選択受付手段とを備え、
前記データ送信制御手段は、前記データ通信装置を制御して前記選択受付手段が選択を受け付けた画像データを前記商品収納体に送信することを特徴とする請求項１に記載の商品販売システム。
【請求項３】
前記画像書換手段が前記画像表示手段に表示される画像を書き換えるのに必要な電力を前記商品収納体に供給する給電装置をさらに備え、
前記商品収納体は、前記給電装置からの電力供給を受け付ける被給電手段をさらに備えてなることを特徴とする請求項１又は２に記載の商品販売システム。
【請求項４】
前記給電装置は前記商品収納体の被給電手段に非接触で給電することを特徴とする請求項３に記載の商品販売システム。
【請求項５】
前記商品収納体の画像表示手段は、電子ペーパーであることを特徴とする請求項１乃至４のうちいずれか１に記載の商品販売システム。
【請求項６】
販売処理された商品を収納するための商品収納体であって、
電力の供給を受けずに表示画像を保持することが可能な画像表示手段と、
客が買い上げる商品の販売処理を行う商品販売データ処理装置から送信された画像データを受信するデータ受信手段と、
このデータ受信手段により受信した画像データに基づいて前記画像表示手段に表示される画像を書き換える画像書換手段とを備えてなることを特徴とする商品収納体。
【請求項７】
前記画像表示手段は、電子ペーパーであることを特徴とする請求項６に記載の商品収納体。
【発明の詳細な説明】
【技術分野】
【０００１】
本発明は、スーパーマーケットなどの商品販売店舗における商品販売システムおよび当該システムで使用されるエコバッグなどの商品収納体に関する。
【背景技術】
【０００２】
従来、スーパーマーケットなどの商品販売店舗では、ＰＯＳ（Point Of Sales）端末などの商品販売データ処理装置が商品の販売処理に使用されている。商品販売データ処理装置により販売処理された商品は、キャッシャ若しくは客本人によりレジ袋に詰められ、それを持って客が退店するという運用が一般的である。
【０００３】
近年では、資源節約や環境保護の観点から上記レジ袋を使用せずに客が予め購入して持参したエコバッグに商品を詰めて退店するという商品の販売形式が普及しつつある。
【０００４】
なお、エコバッグと同様に資源節約や環境保護の観点から携帯型のＰＣのレンタルという形態を定着させ、ＰＣのリサイクルまたはリユースを促進するための商品取引支援システムおよび商品取引支援方法が特許文献１に開示されている。
【特許文献１】特開２００４−４６７３５号公報
【発明の開示】
【発明が解決しようとする課題】
【０００５】
上記エコバッグの素材には、布やナイロンが使用されることが多く、一度生産した後にデザイン変更しようとする場合には製造コストがかかってしまう。そのため、エコバッグのデザインを変更するスパンが長かったり、デザインの種類が少なかったりしていた。このような状況は、現在の多様化しつつある市場ニーズに鑑みれば好ましいものではなく、他店舗で使用されるエコバッグとのデザインの優劣によっては客離れを生じる蓋然性がある。また、頻繁にデザインを変更して客にエコバッグの買い替えを促したとしても、そもそも資源節約や環境保護を目的とするエコバッグの趣旨を没却しかねない。
【０００６】
本発明は、上記のような事情に鑑みてなされたものであり、その目的は、エコバッグのデザイン変更に要するコストを低減することができ、さらにはエコバッグのデザインをより個人の嗜好に合わせたものに変更することを可能として客の興味を引き付け、客を囲い込むことができる商品販売システムおよび当該システムで使用されるエコバッグなどの商品収納体を提供することである。
【課題を解決するための手段】
【０００７】
本発明は、客が買い上げる商品の販売処理を行う商品販売データ処理装置と、この商品販売データ処理装置により販売処理された商品を収納するための商品収納体と、前記商品収納体とデータ通信を行うデータ通信装置とを備え、前記商品販売データ処理装置は、前記データ通信装置を制御して所定の画像データを前記商品収納体に送信するデータ送信制御手段を備え、前記商品収納体は、電力の供給を受けずに表示画像を保持することが可能な画像表示手段と、前記データ通信装置により送信された画像データを受信するデータ受信手段と、このデータ受信手段により受信した画像データに基づいて前記画像表示手段に表示される画像を書き換える画像書換手段とを備えてなることを特徴としている。
【発明の効果】
【０００８】
かかる手段を講じた本発明によれば、エコバッグのデザイン変更に要するコストを低減することが可能であり、さらにはエコバッグのデザインをより個人の嗜好に合わせたものに変更することを可能として客の興味を引き付け、客を囲い込むことができる商品販売システムおよび当該システムで使用されるエコバッグなどの商品収納体を提供することができる。
【発明を実施するための最良の形態】
【０００９】
以下、本発明の一実施形態について、図面を参照しながら説明する。  
図１は、本発明に係る商品販売システムの構成を説明するための模式図である。店舗内のレジに設置されたレジ台１は、後述のＲＦＩＤ（Radio Frequency Identification）リーダ２、無線データ通信装置３および給電装置４を有するエコバッグ載置ユニット１ａが設けられており、その近傍には客が買い上げる商品の販売処理を行う商品販売データ処理装置であるＰＯＳ端末１０が設置されている。ＰＯＳ端末１０は、客側に表示面が向けられた客面ディスプレイ２４およびキャッシャ側に表示面が向けられたディスプレイ２５を備えている。
【００１０】
客が当該店舗にて商品を購入する際には、店舗内に用意された買い物籠４０に商品を詰めてレジ台１上の所定位置に載置するとともに、客が持参したエコバッグ３０（商品収納体）を上記エコバッグ載置ユニット１ａ上に載置する。そしてキャッシャは、買い物籠４０に詰められた商品をＰＯＳ端末１０により登録処理しつつ、エコバッグ３０に詰めていく。
【００１１】
このエコバッグ３０は、外面部を覆うように取り付けられたフレキシブルディスプレイである電子ペーパー３１を備えている。電子ペーパー３１は、電気的に表示画像を書き換え可能であるとともに電源の供給停止後も表示画像を維持するメモリ性を有する（画像表示手段）。その他、電子ペーパー３１は、折り曲げが可能であること、低消費電力で書き換えが可能であること、薄くて軽いことおよびバックライトなどではなく反射光を利用して表示するため視認性が高いことなどの特徴を有する。
【００１２】
次に、上記エコバッグ載置ユニット１ａおよびエコバッグ３０について、図２に示したブロック図を用いて説明する。エコバッグ載置ユニット１ａは、内部にＰＯＳ端末１０と通信可能に接続されたＲＦＩＤリーダ２、無線データ通信装置３および給電装置４を備えている。一方、エコバッグ３０は、内部にエコバッグ３０の識別子であるエコバッグＩＤを記憶したＲＦＩＤタグ３２、無線データ受信部３３、被給電装置３４および書換制御回路３５を備えている。
【００１３】
ＲＦＩＤリーダ２は、読み取り用の電波を発してＲＦＩＤタグ３２に記憶されたエコバッグＩＤを非接触で読み取りＰＯＳ端末１０に送信する。給電装置４は、ＰＯＳ端末１０からの指令に応じて商用電源５から供給される電力を磁気エネルギに変換して被給電装置３４に放出する。被給電装置３４は、給電装置４が放出した磁気エネルギを再び電力に変換して無線データ受信部３３および書換制御回路３５に供給する。このように、給電装置４および被給電装置３４は非接触でエコバッグ３０に電力を供給する。無線データ通信装置３（データ通信装置）は、ＰＯＳ端末１０から電子ペーパー３１に表示させるための画像データを受信し、当該画像データを無線データ受信部３３（データ受信手段）に対して無線通信により送信する。書換制御回路３５は、無線データ通信装置３３が受信した画像データに基づいて電子ペーパー３１の表示画像の書き換えを行う（画像書換手段）。
【００１４】
次に、ＰＯＳ端末１０について説明する。図３は、ＰＯＳ端末１０の要部構成を示すブロック図である。ＰＯＳ端末１０は、制御の中枢としてＣＰＵ１１を搭載している。このＣＰＵ１１に対し、各種制御プログラムなどの固定的データを格納したＲＯＭ１２、処理場面に応じて各種の記憶領域を形成するＲＡＭ１３、図示しないドロワ開放装置などを制御するＩ／Ｏポート１４、通信インターフェイス（Ｉ／Ｆ）１５、ハードディスクドライブ（ＨＤＤ）１６、キーボードコントローラ１７、客面ディスプレイコントローラ１８、ディスプレイコントローラ１９、プリンタコントローラ２０およびスキャナインタフェース（Ｉ／Ｆ）２１などを、例えばＰＣＩバスなどのバスライン２２を介して接続している。
【００１５】
そして、キーボードコントローラ１７にキーボード２３を接続し、客面ディスプレイコントローラ１８に客面ディスプレイ２４が備えるタッチパネルセンサ２４ａとディスプレイ部２４ｂとを接続し、ディスプレイコントローラ１９にキャッシャ用のディスプレイ２５を接続し、プリンタコントローラ２０にレシートプリンタ２６を接続し、スキャナインタフェース２１にスキャナ２７を接続している。
【００１６】
通信インターフェイス１５は、ＲＦＩＤリーダ２、無線データ通信装置３、給電装置４および店舗内のネットワークに接続された店舗サーバなどの外部機器とのデータ通信を制御する。キーボードコントローラ１７は、キーボード２３から操作されたキーに対応するキー信号を取り込みＣＰＵ１１に通知する。客面ディスプレイコントローラ１８は、ＣＰＵ１１からの指令によりディスプレイ部２４ｂに各種の画面を選択的に表示させるとともに、タッチパネルセンサ２４ａの信号を取り込みタッチ位置座標を求めてＣＰＵ１１に通知する。ディスプレイコントローラ１９は、客の支払う合計金額等の表示データに対応した文字等をディスプレイ２５に表示させる。プリンタコントローラ２０は、レシートプリンタ２６によるレシート印字及びジャーナル印字を制御する。スキャナインタフェース２１は、スキャナ２７にてスキャニングされたバーコードデータを入力する。なお、キーボード２３は、数値データを置数入力するための置数キーの他、ＰＬＵキー，小計キー，預／現計キーおよび合計キーなどの各種ファンクションキーを配設したものである。
【００１７】
上記ハードディスクドライブ１６には、エコバッグ３０が備える電子ペーパー３１に表示するための画像データを記憶した表示画像データベース１６ａ（データ記憶手段）および客がエコバッグ３０を使用して買い物をした際に付与されるポイントを管理するポイント管理データベース１６ｂが記憶されている。
【００１８】
図４は、表示画像データベース１６ａに記憶されるデータの構成を示す模式図である。表示画像データベース１６ａには、画像データＤｎ（ｎ；整数）に対し“商品Ａ購入”，“買上金額が１０００円以上”または“累計ポイントが１０００ポイント以上”などその画像データを提供するための条件が記憶されている。
【００１９】
図５はポイント管理データベース１６ｂのデータの構成を示す模式図である。ポイント管理データベース１６ｂには、エコバッグ３０が備えるＲＦＩＤタグ３２に記憶されたエコバッグＩＤに対して過去の当該エコバッグ３０の使用に対して付与された累積ポイントが記憶されている。
【００２０】
次に上記のような構成による作用について説明する。  
図６は、ＰＯＳ端末１０のＣＰＵ１１が実行する処理の流れ図である。この処理は、ＲＯＭ１２に記憶された制御プログラムに基づいて実行される。
【００２１】
先ず、ＣＰＵ１１は、ＳＴ１０１として商品販売処理を実行する。この処理では、買い物籠４０に入れられた買上商品に付されたバーコードをキャッシャがスキャナ２７によりスキャニングし、商品コードを取得する。そして、取得した商品コードに基づいて商品名や商品価格などからなる商品データを店舗サーバに記憶された商品マスタから取得してＲＡＭ１３に形成した記憶領域に登録していき、キーボード２３に設けられた小計キーの操作をトリガとして登録した商品の小計金額を算出する。しかる後、キーボード２３に設けられた置数キーの操作による客が支払った代金の入力を受け付け、入力された金額から当該取引の小計金額を減算して釣銭額を算出する。このとき、Ｉ／Ｏポート１４がドロワを開放し、プリンタコントローラ２０がレシートプリンタ２６を制御して取引内容を印字したレシートを発行する。
【００２２】
上記のような商品販売処理の後、ＳＴ１０２として通信インターフェイス１５を介してＲＦＩＤリーダ２にＲＦＩＤタグ３２の読み取りを指令する。この指令を受けたＲＦＩＤリーダ２は、ＲＦＩＤタグ３２の読み取り用の電波を発信し、ＲＦＩＤタグ３２に記憶されたエコバッグＩＤの読み取りを試みる。エコバッグＩＤを読み取ることができたときには、そのエコバッグＩＤをＰＯＳ端末１０に送信する。
【００２３】
そして、ＳＴ１０３としてエコバッグＩＤが読み取られたか否かを判断する。エコバッグＩＤをＲＦＩＤリーダ２から受信している場合にはエコバッグＩＤを読み取ることができたと判断し（ＳＴ１０３のＹｅｓ）、ＳＴ１０４としてポイント管理データベース１６ｂから読み取ったエコバッグＩＤと同一のＩＤに関連付けて記憶された累積ポイントに所定ポイントを加算する。
【００２４】
続いて、ＳＴ１０５として当該客に提供可能な画像データを表示画像データベース１６ａから抽出する（データ抽出手段）。この処理については図８の説明にて後述する。抽出された画像データは、ＳＴ１０６として客面ディスプレイコントローラ１８の制御の下で客面ディスプレイ２４に一覧表示される。このとき画像データが一覧表示されたディスプレイ部２４ｂの画面５０の表示例を図７に示している。画面５０には、“エコバッグに表示するデザインを選んでください”のような所定のメッセージとともに画像Ｐ−１，画像Ｐ−２，画像Ｐ−３および画像Ｐ−４などＳＴ１０５の処理にて抽出された画像データに基づくデザインが表示される（データ表示手段）。客が画面５０に表示されたデザインをタッチ操作すると、タッチパネルセンサ２４ａがタッチ座標に応じた信号をＣＰＵ１１に送信する。ＣＰＵ１１は、タッチパネルセンサ２４ａから受信した信号に基づいていずれのデザインが選択されたのかを認識することができる。このように、ディスプレイ部２４ｂに表示された提供可能な画像データの中から任意の画像データの選択を受け付けるタッチパネルセンサ２４ａとＣＰＵ１１とは、選択受付手段を構成する。
【００２５】
ＳＴ１０６の処理の後、ＣＰＵ１１は、ＳＴ１０７として画像データの選択がなされたか否かを判断する。ＳＴ１０６およびＳＴ１０７の処理は、上記のように客が画面５０に表示されたデザインをタッチ操作して任意の画像データを選択するまで繰り返される（ＳＴ１０７のＮｏ）。画面５０に表示されたデザインがタッチ操作されたときには画像データの選択がなされたと判断し（ＳＴ１０７のＹｅｓ）、ＳＴ１０８として給電装置４に給電の開始を指令する。この指令を受けた給電装置４は、被給電装置３４への給電を開始し、被給電装置３４は給電された電力を無線データ受信部３３と書換制御回路３５とに供給する。
【００２６】
次に、ＣＰＵ１１は、ＳＴ１０９として無線データ通信装置３を制御して客が選択したデザインの画像データをエコバッグ３０の無線データ受信部３３に無線通信にて送信する。このとき、無線データ受信部３３は、受信した画像データを書換制御回路３５に送り、書換制御回路３５は、当該画像データに基づいて電子ペーパー３１の表示画像を電気的に書き換える。
【００２７】
この画像データの送信が完了したときには、ＳＴ１１０として給電装置４に給電の停止を指令して一連の処理を終了する。エコバッグ３０の電子ペーパー３１に表示されたデザインは、給電装置４からの給電が停止された後にも維持される。
【００２８】
一方、ＳＴ１０３の処理にてＲＦＩＤリーダ２がＲＦＩＤタグ３２を読み取ることができなかったときには（ＳＴ１０３のＮｏ）、ＳＴ１０４〜ＳＴ１１０の処理を行わずに当該処理を終了する。なお、ＲＦＩＤリーダ２がＲＦＩＤタグ３２を読み取ることができない場合には、当該客がエコバッグの利用者でない場合、エコバッグの利用者であるがエコバッグ３０でない通常のエコバッグを使用している場合、またはエコバッグ３０の利用者であるがエコバッグ３０がエコバッグ載置ユニット１ａ上の適切な位置に載置されていない場合などが想定される。
【００２９】
続いて、上記１０５の処理にてＣＰＵ１１が実行するデザインの抽出処理について説明する。  
図８は、デザインの抽出処理にてＣＰＵ１１が実行する処理の流れ図である。先ず、ＳＴ２０１として表示画像データベース１６ａから一つ画像データを選択し、その画像データに関連付けて記憶された条件を抽出する。次に、ＳＴ２０２としてＳＴ２０１の処理にて抽出された条件が満たされるか否かを判断する。このとき、条件を満たすと判断されるときには（ＳＴ２０２のＹｅｓ）、ＳＴ２０３としてＲＡＭ１３に当該画像データをロードする。一方、条件を満たさないと判断されるときには（ＳＴ２０２のＮｏ）、当該画像データをＲＡＭ１３にロードしない。次に、ＳＴ２０４として条件を未比較の画像データが表示画像データベース１６ａに記憶されているか否かを判断する。条件を未比較の画像データが表示画像データベース１６ａに記憶されていると判断されるときには（ＳＹ２０４のＹｅｓ）、ＳＴ２０１の処理に戻って条件を未比較の画像データを一つ抽出する。このように、デザイン抽出処理は、表示画像データベース１６ａに記憶された全ての画像データについて、それぞれに関連付けられた条件を満たすか否かを判断するまで繰り返される。
【００３０】
ここで、デザイン抽出処理について具体例を挙げて説明する。例えば、画像データＤ１が選択された場合には、関連付けられた条件として“商品Ａ購入”が抽出される（ＳＴ２０１）。このとき、ＲＡＭ１３に記憶された当該取引の商品データが参照され、商品Ａが購入されたか否かが判断される（ＳＴ２０２）。商品Ａが購入されているときには当該条件を満たすと判断され（ＳＴ２０２のＹｅｓ）、ＲＡＭ１３に当該画像データがロードされる（ＳＴ２０３）。
【００３１】
また、画像データＤ２が選択された場合には、関連付けられた条件として“買上金額が１０００円以上”が抽出される（ＳＴ２０１）。このとき、ＲＡＭ１３に記憶された当該取引の小計金額が参照され、買上金額が１０００円以上であるか否かが判断される（ＳＴ２０２）。買上金額が１０００円以上であるときには当該条件を満たすと判断され（ＳＴ２０２のＹｅｓ）、ＲＡＭ１３に当該画像データがロードされる（ＳＴ２０３）。
【００３２】
また、画像データＤ３が選択された場合には、関連付けられた条件として“累積ポイントが１０００ポイント以上”が抽出される（ＳＴ２０１）。このとき、ポイント管理データベース１６ｂに記憶された上記ＳＴ１０２の処理にて読み取ったエコバッグＩＤに関連付けて記憶された累積ポイント数が参照され、１０００ポイント以上付与されているか否かが判断される（ＳＴ２０２）。累積ポイントが１０００ポイント以上であるときには当該条件を満たすと判断され（ＳＴ２０２のＹｅｓ）、ＲＡＭ１３に当該画像データがロードされる（ＳＴ２０３）。さらに、ポイント管理データベース１６ｂの当該エコバッグＩＤに関連付けて記憶された累積ポイントから１０００ポイントが減算される。
【００３３】
その他、表示画像データベース１６ａにおいて画像データに関連付けられる条件としては、季節が所定条件を満たすこと、日時が所定条件を満たすこと、現金決済，カード決済または電子マネー決済など所定の決済方法で決済がなされたこと、過去の取引データが所定条件を満たすこと、または所定のクーポン券が提示されたことなど各種の条件を設定可能である。
【００３４】
このように、当該商品販売システムでは、新たにエコバッグを製造することなく電子ペーパー３１に表示される画像を変更することでエコバッグのデザインを変更することができる。そのため、エコバッグのデザイン変更に要するコストを低減することが可能である。
【００３５】
また、客面ディスプレイ２４には客に提供可能なエコバッグ３０のデザインが一覧表示され、客はその中から所望のデザインを選択することができるので、客が自身の嗜好に合わせてエコバッグ３０のデザインを変更することができる。また、会計時に客が自身の嗜好に合ったデザインを選択するので、当該店舗にて買物をしようとするインセンティブとなり、客の囲い込みに繋がる。
【００３６】
また、給電装置４と被給電装置３４とを設けたことにより非接触でエコバッグ３０に給電することができるので、いちいち給電用のプラグを接続したり、エコバッグ３０にバッテリーなどの電源供給手段を設けたりする必要がなく余計な手間が省ける。
【００３７】
また、エコバッグ３０の表示手段として電子ペーパーを採用しているので、多量の商品を収納してエコバッグ３０の形状が変形しても画像表示に影響はなく、高い視認性を保つことが出来る。
【００３８】
なお、この発明は前記実施形態そのままに限定されるものではなく、実施段階においては、その要旨を逸脱しない範囲内にて各構成要素を適宜変形して具体化することができる。
【００３９】
例えば、上記実施形態においては上記ＳＴ１０３の処理にてＲＦＩＤリーダ２によりＲＦＩＤタグ３２に記憶されたエコバッグＩＤが読み取れたことをトリガーに、エコバッグ３０がエコバッグ載置ユニット１ａに載置されたとしてＳＴ１０４〜ＳＴ１１０の処理が実行されるとしたが、客がエコバッグ３０の利用客である際にキャッシャが操作する操作キーをキーボード２３に設け、この操作キーが操作されたことをトリガーとしてＳＴ１０４〜ＳＴ１１０の処理が行われるようにしてもよい。この場合には、ポイント管理データベース１６ｂのデータ構成をエコバッグＩＤを用いない構成に変更するか、他の方法でＰＯＳ端末１０がエコバッグＩＤを取得できる手段を講じればよい。当該他の方法としては、キャッシャが直接キーボード２３から客のエコバッグＩＤを入力する方法や、ＰＯＳ端末１０にカードリーダを接続して顧客が所持する記憶媒体に記憶させたエコバッグＩＤを読み取らせる方法などが考えられる。
【００４０】
また、上記実施形態においては図１に示したＰＯＳ端末１０を備える商品販売システムの構成を例に説明したが、本発明に係る商品販売システムは、縦型スキャナを用いたチェックアウトシステムやセルフチェックアウトシステムに対しても適用できることは言うまでもない。
【００４１】
また、ＳＴ１０６の処理にて提供可能な画像データを客面ディスプレイ２４のディスプレイ部２４ａに表示させるとしたが、ディスプレイを備えた別端末をＰＯＳ端末１０に接続し、この端末に提供可能な画像データを表示させるようにしてもよい。この場合、当該端末に客面ディスプレイ２４と同様のタッチパネルや操作釦を設けて画像データの選択ができるようにする。
【００４２】
この他、前記実施形態に開示されている複数の構成要素を適宜組み合わせることにより種々の発明を形成することができる。例えば、実施形態に示される全体構成要素から幾つかの構成要素を削除してもよい。
【図面の簡単な説明】
【００４３】
【図１】本発明の一実施形態における商品販売システムを説明するための模式図。
【図２】同実施形態における商品販売システムを説明するためのブロック図。
【図３】同実施形態におけるＰＯＳ端末１０の要部構成を示すブロック図。
【図４】同実施形態における表示画像データベースのデータ構成を示す模式図。
【図５】同実施形態におけるポイント管理データベースのデータ構成を示す模式図。
【図６】同実施形態においてＰＯＳ端末のＣＰＵが実行する処理の流れ図。
【図７】同実施形態において客面ディスプレイに表示されるデザイン一覧表示の一例を示す図。
【図８】同実施形態においてＰＯＳ端末のＣＰＵが実行するデザイン抽出処理の流れ図。
【符号の説明】
【００４４】
１ａ…エコバッグ載置ユニット、２…ＲＦＩＤリーダ、３…無線データ通信装置、４…給電装置、５…商用電源、１０…ＰＯＳ端末、３０…エコバッグ、３１…電子ペーパー、３２…ＲＦＩＤタグ、３３…無線データ受信部、３４…被給電装置、３５…書換制御回路
【図１】
2010044640.tif 000003
【図２】
2010044640.tif 000004
【図３】
2010044640.tif 000005
【図４】
2010044640.tif 000006
【図５】
2010044640.tif 000007
【図６】
2010044640.tif 000008
【図７】
2010044640.tif 000009
【図８】
2010044640.tif 000010